(57)【要約】      （修正有）【課題】ヒートパネルを燃焼室の背面に直接固定して、ガスボンベへの熱伝導を良好にすること。【解決手段】バーナーケース３を、機体側壁で支持するためのブラケット６の中央部に切欠部９を形成し、ブラケット６の中央部の前記切欠部９内に、前記ヒートパネルの基部を位置させ、ヒートパネルをバーナーケース３の背面に固定して、ヒートパネルの基部とブラケット６の中央部とを、同一固定面で互いに干渉しない状態で、バーナーケース３の背面に固定したことを特徴とする。【選択図】図３
2014059088.tif 000002
【特許請求の範囲】
【請求項１】
前面側に燃焼室を背面側にガスボンベ室を有し、ガスボンベに密着固定自在な左右一対の挟持片を有するヒートパネルを設け、燃焼室には正面中央に対向させた発熱体を前面に有するバーナーケースが装備されている携帯式ガスストーブにおいて、
前記バーナーケースを、機体側壁で支持するためのブラケットの中央部に切欠部を形成し、
ブラケットの中央部の前記切欠部内に、前記ヒートパネルの基部を位置させ、ヒートパネルをバーナーケースの背面に固定して、
ヒートパネルの基部とブラケットの中央部とを、同一固定面で互いに干渉しない状態で、バーナーケースの背面に固定したことを特徴とする携帯式ガスストーブ。
【請求項２】
バーナーケースの背面に複数個の凹所を形成し、該凹所にナットを溶着して熔着ナットを形成し、
ヒートパネルに形成した取付け孔を貫通させたビスを、バーナーケースの背面の前記熔着ナットに螺着することにより、ヒートパネルをバーナーケースと一体化させることを特徴とする、請求項1に記載する携帯式ガスストーブ。
【請求項３】
前記熔着ナットをバーナーケースの背面より突出させ、
ヒートパネルに形成した取付け孔の周囲に、バーナーケースの背面より突出させた熔着ナットの頭部よりも大なる空間の凹所を形成したこと
を特徴とする、請求項2に記載する携帯式ガスストーブ。
【発明の詳細な説明】
【技術分野】
【０００１】
本願発明は、カートリッジ式ガスボンベに貯蔵された液化石油ガスを熱源とする携帯式ガスストーブに関するものである。
【背景技術】
【０００２】
この種の携帯式ガスストーブにおいては、燃焼室（バーナー）での燃焼熱をガスボンベに伝導してガスボンベ内の液化石油ガスの気化を充分とするためのヒートパネルを装備している。
【先行技術文献】
【特許文献】
【０００３】
【特許文献１】登録実用新案公報、登録第3067604号「携帯式ガスストーブ」
【発明の概要】
【発明が解決しようとする課題】
【０００４】
上記の登録実用登録第3067604号「携帯式ガスストーブ」は、ガスボンベに密着固定自在な左右一対の挟持片を有するヒートパネルを開示するとともに、ガスボンベに燃焼室（バーナー）の燃焼熱をヒートパネルを介して熱伝導することを開示している。
ヒートパネルは、機体ケースに固定されている熱伝導板を介して、燃焼室の背面に熱伝導している。即ち、燃焼室（バーナー）とヒートパネルとの間には熱伝導板が介在している。
よって、本願発明は、上記の公知発明において、ヒートパネルを燃焼室の背面に直接固定して、ガスボンベへの熱伝導を良好にすることを課題とする。
【課題を解決するための手段】
【０００５】
バーナーケースを、機体側壁で支持するためのブラケットの中央部に切欠部を形成し、ブラケットの中央部の前記切欠部内に、前記ヒートパネルの基部を位置させ、ヒートパネルをバーナーケースの背面に固定して、ヒートパネルの基部とブラケットの中央部とを、同一固定面で互いに干渉しない状態で、バーナーケースの背面に固定したことを特徴とする。
【発明の効果】
【０００６】
本願発明は、ヒートパネルをバーナーケースの背面に直接固定したことで、ヒートパネルに挟持されるカセットボンベに、燃焼室からの熱伝導を良好にする効果を有する。
【図面の簡単な説明】
【０００７】
【図１】携帯式ガスストーブの正面図。
【図２】同じく横断面図。
【図３】本願発明の要部を示し、ヒートパネルを除去して示す背面図。
【図４】図3のA−A線による断面図。
【図５】図3のB−B線による断面図。
【図６】ヒートパネルの斜視図。
【図７】ヒートパネルの部分縦断面図。
【図８】熔着ナットを示し、ａ図はバーナーケースの部分背面図、ｂ図は断面図。
【図９】熔着ナットによる固定状態を示す断面図。
【図１０】本願発明の第2実施例の要部を示し、ヒートパネルを除去して示す背面図。
【図１１】図10のA−A線による断面図。
【図１２】図10のB−B線による断面図。
【発明を実施するための最良の形態】
【０００８】
本願発明は、
前面側に燃焼室を背面側にガスボンベ室を有し、燃焼室の前面の発熱体を正面中央に対向させ、機体中央部に燃焼室が装備されている携帯式ガスストーブにおいて、
機体側壁に支持されるブラケットをバーナーケースの背面に固定し、ガスボンベに密着固定自在な左右一対の挟持片を有し、ガスボンベを支持するとともに、燃焼室の熱をガスボンベに伝導するヒートパネルの基部を、前記ブラケットの中央部の窓に位置させて、バーナーケースの背面に固定して、
バーナーケースの背面にブラケットおよびヒートパネルを固定する。
第2項発明は、
ヒートパネルをバーナーケースに固定するにあたり、バーナーケースの背面に複数個の凹所を形成し、該凹所にナットを溶着して熔着ナットを形成し、ヒートパネルに形成した取付け孔を貫通させたビスを、前記熔着ナットに螺着することにより、熱伝導材であるアルミ製のヒートパネルを鋼板製のバーケースに固定する。
第3項発明は
前記熔着ナットをバーナーケースの背面より突出させ、ヒートパネルに形成した取付け孔の周囲に、バーナーケースの背面より突出させた熔着ナットの頭部よりも大なる空間の凹所を形成する。
熔着ナットへのねじ締付けに際して、凹所が縮小することでヒートパネルとバーナーケースとの間に弾性力が作用させることで、ヒートパネルとバーナーケースの背面とを圧接状態で固定して、バーナーケースよりヒートパネルへの熱伝導を良好にする。
【実施例】
【０００９】
図1および図２は、前面側に燃焼室Ａを背面側にガスボンベ室Ｂ有する携帯式ガスストーブを示し、燃焼室Ａの正面中央に発熱体（セラミック体）1、その周囲に反射体２が装備されている。発熱体（セラミック体）1の後方にバーナーケース３が隣接している。
ガスボンベ室Ｂには、カセットボンベ4をセットされ、カセットボンベ4より燃料ガスが公知の制御機構をへて燃焼室Ａのバーナーケース３内へ供給される。
ガスボンベ室Ｂ内に、ガスボンベに密着自在な左右一対の挟持片5を有するヒートパネル7が設けられて、バーナーケース３の燃焼熱をガスボンベ4に熱伝導してガスボンベ4を加熱してガスボンベ4内の燃料ガスを気化させるべく構成されている。バーナーケース３は、ブラケット6を介して機体側壁８に固定支持されている。
【００１０】
図３ないし図8参照して、本願発明の要部であるところの、バーナーケース3とブラケット6とヒートパネル7の固定手段を説明する。
ブラケット６の中央部に、切欠部として窓９を形成する。
【００１１】
ヒートパネル7において、バーナーケース３の背面13に接触する基部10のうち中央の基部１０Ａを、ブラケット６の中央部の前記窓９内に位置可能な形状とする。
【００１２】
なお、実施例では、ヒートパネル7は、基部10Ａの上下に、ブラケット６と干渉しない位置に基部10Ｂおよび基部10Ｃを追加してバーナーケース３の背面13に接触する形状である。即ち、ヒートパネル7の基部10には、窓11Ａ、11Ｂを形成し、ブラケット６の窓9の上方部6Ａおよび下方部6Ｂを、ヒートパネル7の基部10の窓11Ａ、11Ｂの範囲内に位置させて、ヒートパネル7の基部10とブラケット６とが同一固定面で干渉しない構成として、ヒートパネル7の基部10とブラケット６との両方がバーナーケース３の背面13に接触可能としている。
【００１３】
バーナーケース3の背面13に2個の凹所14を形成し、該凹所14にナットを溶着して熔着ナット12を形成する。
【００１４】
ヒートパネル7に取付け孔15を貫通し、取付け孔15に挿入したビス16を、バーナーケースの背面の前記熔着ナット12に螺着可能とする。
【００１５】
所定位置にヒートパネル7およびブラケット6をバーナーケースの背面13にセットした状態で、熔着ナット12に螺着したビス16を締付けることにより、ヒートパネル7およびブラケット6と、バーナーケース3とは一体化される。
【００１６】
実施例においては、前記熔着ナット12をバーナーケース3の背面13より突出させる（図8ｂ参照）とともに、ヒートパネル7に形成した取付け孔15の周囲に、バーナーケースの背面より突出させた熔着ナットの頭部よりも大なる空間の凹所17（図7参照）とを形成している。
【００１７】
熔着ナット12に螺着したビス16を締付けるに際して、ビス16の締付けに伴って凹所17が縮小する。そのことにより、ヒートパネル7とバーナーケースの背面13との接触面でヒートパネル7に弾性力が作用する結果、ヒートパネル7とバーナーケースの背面13とを圧接状態で固定して、バーナーケース3よりヒートパネル7への熱伝導を良好にしている。
【００１８】
図10ないし図12参照して、本願発明の第2実施例の要部であるところの、バーナーケース3とブラケット6とヒートパネル7の固定手段を説明する。
【００１９】
ブラケット６の中央部の上部および下部に切欠部9Ａを形成する。
【００２０】
ヒートパネル7において、バーナーケース３の背面13に接触する基部20を、ブラケット６の中央部の前記切欠部9Ａ内に位置可能な形状とする。すなわち、2個の基部20が、前記切欠部9Ａ内に位置して、バーナーケース３の背面13に接触状態で固定される。
【００２１】
なお、2個の基部20は、ブラケット６の中央部6Ａを回避している平板部21を介して一体化している。よって、左右一対の挟持片5は、2個の基部20および平板部21で支持されている。
【００２２】
よって、バーナーケース３の背面13に接触固定されている基部20は、ブラケット６の中央部6Ａと同一固定面ではあるが、ブラケット６の中央部6Ａと干渉せず、非接触---非熱伝導状態である。
【産業上の利用可能性】
【００２３】
本発明は、携帯式ガスストーブにおけるガスボンベの気化を確実にすることで、携帯式ガスストーブの使用利便性を高め、家庭用加熱機器製造業の発展に寄与するものである。
【符号の説明】
【００２４】
A   燃焼室
B   ガスボンベ室
1   発熱体（セラミック体）
2   反射体
3    バーナーケース
4    カセットボンベ
５    挟持片
6    ブラケット
７    ヒートパネル
9    切欠部
【図１】
2014059088.tif 000003
【図２】
2014059088.tif 000004
【図３】
2014059088.tif 000005
【図４】
2014059088.tif 000006
【図５】
2014059088.tif 000007
【図６】
2014059088.tif 000008
【図７】
2014059088.tif 000009
【図８】
2014059088.tif 000010
【図９】
2014059088.tif 000011
【図１０】
2014059088.tif 000012
【図１１】
2014059088.tif 000013
【図１２】
2014059088.tif 000014